【手続補正書】
【提出日】平成20年4月18日(2008.4.18)
【手続補正１】
【補正対象書類名】明細書
【補正対象項目名】特許請求の範囲
【補正方法】変更
【補正の内容】
【特許請求の範囲】
【請求項１】  光源手段と、前記光源手段から出射した光束を平行光束に変換する第１の光学系と、前記第１の光学系を通過した光束を主走査方向において線像として偏向手段の偏向面に結像させる第２の光学系と、前記偏向手段の偏向面にて偏向された光束を被走査面上に結像させる第３の光学系と、を有する光走査装置において、
前記第３の光学系を構成する最も偏向手段側のレンズは、少なくとも１つのレンズ面が主走査断面内において非円弧であり、
かつ、前記第３の光学系を構成する最も偏向手段側のレンズは、主走査断面内において前記偏向手段側へ凹面を向けた正の屈折力を有するメニスカスレンズであり、かつ、
前記第３の光学系を構成する最も偏向手段側のレンズの前記偏向手段側のレンズ面は、前記偏向手段の偏向面にて偏向された光束が前記レンズ面で反射したとき、副走査断面内において平行光束もしくは発散光束となる形状をしていることを特徴とする光走査装置。 
【請求項２】  前記第３の光学系を構成する最も偏向手段側のレンズの前記偏向手段側のレンズ面の副走査断面内の近軸曲率半径をＲｓ、主走査断面内の近軸曲率半径をＲｍとしたとき、
｜Ｒｍ｜／｜Ｒｓ｜＜１
なる条件を満足することを特徴とする請求項１に記載の光走査装置。
【請求項３】  前記偏向手段の偏向面の副走査方向の高さをｈｐ、前記第３の光学系を構成する最も偏向手段側のレンズの前記偏向手段側のレンズ面の副走査断面内の曲率半径をＲｓ、前記偏向面の中心から前記第３の光学系を構成する最も偏向手段側のレンズの前記偏向手段側のレンズ面までの距離をＬ、前記第２の光学系のＦナンバーをＦNoとしたとき、
【数１】
2002323665.tif 000001
なる条件を満足することを特徴とする請求項１又は２に記載の光走査装置。
【請求項４】  前記偏向手段の偏向面の副走査方向の高さをｈｐ、前記第３の光学系を構成する最も偏向手段側のレンズの前記偏向手段側のレンズ面の副走査断面内の曲率半径をＲｓ、前記偏向面の中心から前記第３の光学系を構成する最も偏向手段側のレンズの前記偏向手段側のレンズ面までの距離をＬ、前記第２の光学系のＦナンバーをＦNoとしたとき、
【数２】
2002323665.tif 000002
なる条件を満足することを特徴とする請求項１又は２に記載の光走査装置。
【請求項５】  前記第３の光学系を構成する最も偏向手段側のレンズの少なくとも１つのレンズ面の副走査断面内の形状は、前記第３の光学系の光軸に対して非対称に変化していることを特徴とする請求項１に記載の光走査装置。
【請求項６】  前記第３の光学系を構成する最も偏向手段側のレンズは、樹脂レンズであり、前記樹脂レンズの前記偏向手段側のレンズ面には反射防止膜がコートされていないことを特徴とする請求項１乃至５の何れか一項に記載の光走査装置。
【請求項７】  請求項１乃至６の何れか一項に記載の光走査装置と、前記被走査面に配置された感光体と、前記光走査装置で走査された光束によって前記感光体の上に形成された静電潜像をトナー像として現像する現像手段と、現像されたトナー像を被転写材に転写する転写手段と、転写されたトナー像を被転写材に定着させる定着手段とを有することを特徴とする画像形成装置。
【請求項８】  請求項１乃至６の何れか一項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１３
【補正方法】変更
【補正の内容】
【００１３】
【課題を解決するための手段】
請求項１の発明の光走査装置は、光源手段と、前記光源手段から出射した光束を平行光束に変換する第１の光学系と、前記第１の光学系を通過した光束を主走査方向において線像として偏向手段の偏向面に結像させる第２の光学系と、前記偏向手段の偏向面にて偏向された光束を被走査面上に結像させる第３の光学系と、を有する光走査装置において、
前記第３の光学系を構成する最も偏向手段側のレンズは、少なくとも１つのレンズ面が主走査断面内において非円弧であり、
かつ、前記第３の光学系を構成する最も偏向手段側のレンズは、主走査断面内において前記偏向手段側へ凹面を向けた正の屈折力を有するメニスカスレンズであり、かつ、
前記第３の光学系を構成する最も偏向手段側のレンズの前記偏向手段側のレンズ面は、前記偏向手段の偏向面にて偏向された光束が前記レンズ面で反射したとき、副走査断面内において平行光束もしくは発散光束となる形状をしていることを特徴としている。
【手続補正３】
【補正対象書類名】明細書
【補正対象項目名】００１４
【補正方法】変更
【補正の内容】
【００１４】
請求項２の発明は請求項１の発明において、前記第３の光学系を構成する最も偏向手段側のレンズの前記偏向手段側のレンズ面の副走査断面内の近軸曲率半径をＲｓ、主走査断面内の近軸曲率半径をＲｍとしたとき、
｜Ｒｍ｜／｜Ｒｓ｜＜１
なる条件を満足することを特徴としている。
【手続補正４】
【補正対象書類名】明細書
【補正対象項目名】００１５
【補正方法】変更
【補正の内容】
【００１５】
請求項３の発明は請求項１又は２の発明において、前記偏向手段の偏向面の副走査方向の高さをｈｐ、前記第３の光学系を構成する最も偏向手段側のレンズの前記偏向手段側のレンズ面の副走査断面内の曲率半径をＲｓ、前記偏向面の中心から前記第３の光学系を構成する最も偏向手段側のレンズの前記偏向手段側のレンズ面までの距離をＬ、前記第２の光学系のＦナンバーをＦNoとしたとき、
【数１】
2002323665.tif 000003
なる条件を満足することを特徴としている。
【手続補正５】
【補正対象書類名】明細書
【補正対象項目名】００１６
【補正方法】変更
【補正の内容】
【００１６】
請求項４の発明は請求項１又は２の発明において、前記偏向手段の偏向面の副走査方向の高さをｈｐ、前記第３の光学系を構成する最も偏向手段側のレンズの前記偏向手段側のレンズ面の副走査断面内の曲率半径をＲｓ、前記偏向面の中心から前記第３の光学系を構成する最も偏向手段側のレンズの前記偏向手段側のレンズ面までの距離をＬ、前記第２の光学系のＦナンバーをＦNoとしたとき、
【数２】
2002323665.tif 000004
なる条件を満足することを特徴としている。
【手続補正６】
【補正対象書類名】明細書
【補正対象項目名】００１７
【補正方法】変更
【補正の内容】
【００１７】
請求項５の発明は請求項１の発明において、前記第３の光学系を構成する最も偏向手段側のレンズの少なくとも１つのレンズ面の副走査断面内の形状は、前記第３の光学系の光軸に対して非対称に変化していることを特徴としている。
【手続補正７】
【補正対象書類名】明細書
【補正対象項目名】００１８
【補正方法】変更
【補正の内容】
【００１８】
請求項６の発明は請求項１乃至５のいずれか一項の発明において、前記第３の光学系を構成する最も偏向手段側のレンズは、樹脂レンズであり、前記樹脂レンズの前記偏向手段側のレンズ面には反射防止膜がコートされていないことを特徴としている。
【手続補正８】
【補正対象書類名】明細書
【補正対象項目名】００１９
【補正方法】変更
【補正の内容】
【００１９】
請求項７の発明の画像形成装置は、請求項１乃至６の何れか一項に記載の光走査装置と、前記被走査面に配置された感光体と、前記光走査装置で走査された光束によって前記感光体の上に形成された静電潜像をトナー像として現像する現像手段と、現像されたトナー像を被転写材に転写する転写手段と、転写されたトナー像を被転写材に定着させる定着手段とを有することを特徴としている。
【手続補正９】
【補正対象書類名】明細書
【補正対象項目名】００２０
【補正方法】変更
【補正の内容】
【００２０】
請求項８の発明の画像形成装置は、請求項１乃至６の何れか一項に記載の光走査装置と、外部機器から入力したコードデータを画像信号に変換して前記光走査装置に入力せしめるプリンタコントローラとを有していることを特徴としている。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２９
【補正方法】変更
【補正の内容】
【００２９】
６は集光機能とｆθ特性とを有する第３の光学系としてのｆθレンズ系（走査レンズ系）であり、光偏向器５側より順にプラスチック材より成る第１、第２の２枚のｆθレンズ６ａ，６ｂを有し、該第１、第２のｆθレンズ６ａ，６ｂの全てのレンズ面Ｒ１〜Ｒ４には反射防止膜がコートされていない。第１、第２のｆθレンズ６ａ，６ｂは共に主走査断面内で非球面形状のトーリック面で形成され、光偏向器５によって反射偏向された画像情報に基づく光束を被走査面に配置された感光ドラム面７上にスポット状に結像させ、かつ副走査断面内において光偏向器５の偏向面５ａと感光ドラム面７との間を共役関係にすることにより、倒れ補正機能を有している。第１のｆθレンズ６ａは少なくとも１面が主走査断面内で非円弧（非球面係数が０でないこと、また平面でもないこと）で、かつ主走査断面内で光偏向器５側へ凹面を向けた正の屈折力を有するメニスカスレンズより成っている。第１のｆθレンズ６ａの光偏向器５側のレンズ面Ｒ１は、該光偏向器５側からの光束が該レンズ面Ｒ１で反射したとき、副走査断面内において平行光束もしくは発散光束となる形状をしている。本実施形態ではこのレンズ面Ｒ１の副走査断面内における形状を平面形状より形成しているが、曲面を有していても良い。
【手続補正１５】
【補正対象書類名】明細書
【補正対象項目名】００４８
【補正方法】変更
【補正の内容】
【００４８】
即ち、レンズ面Ｒ１からの反射光が偏向面５ａに戻ったとき、該偏向面５ａ上での副走査方向の広がりは、光偏向器５の偏向点Ｐ（偏向面５ａの中心）から第１のfθレンズ６ａのレンズ面Ｒ１までの距離をＬ、レンズ面Ｒ１の副走査断面内における曲率半径をＲｓ、シリンドリカルレンズ４の副走査断面内における有効Ｆ値（Ｆナンバー）をＦNOとしたとき、